(57)【要約】【課題】下部ユニットと上部ユニットを備え、上部ユニットの開放状態を維持する構成において、上部ユニットの動きが固くなって操作性が低下することを抑制する。【解決手段】記録装置は媒体に記録を行う記録部を備えた下部ユニットと、原稿の画像を読み取る読み取り手段を備えるとともに、前記下部ユニットの上部に設けられ、前記下部ユニットに対して開閉可能な上部ユニットと、を有し、前記上部ユニットは、前記下部ユニットに支持されて前記上部ユニットの開いた状態を維持するアームを備え、前記下部ユニットは、前記アームに設けられた凸部を受け入れ、前記上部ユニットの開閉に際して前記凸部が一定方向に移動する経路が形成されたカム溝を備え、前記カム溝には、前記凸部が入り込んで前記凸部を下から支持する凹部が設けられ、前記凹部に前記凸部が入り込むことで前記上部ユニットの開いた状態が維持される。【選択図】図９
2020055248.tif 000002
【特許請求の範囲】
【請求項１】
媒体に記録を行う記録部を備えた下部ユニットと、
原稿の画像を読み取る読み取り手段を備えるとともに、前記下部ユニットの上部に設けられ、前記下部ユニットに対して開閉可能な上部ユニットと、を有し、
前記上部ユニットは、前記下部ユニットに支持されて前記上部ユニットの開いた状態を維持するアームを備え、
前記下部ユニットは、前記アームに設けられた凸部を受け入れ、前記上部ユニットの開閉に際して前記凸部が一定方向に移動する経路が形成されたカム溝を備え、
前記カム溝には、前記凸部が入り込んで前記凸部を下から支持する凹部が設けられ、前記凹部に前記凸部が入り込むことで前記上部ユニットの開いた状態が維持される、
ことを特徴とする記録装置。
【請求項２】
請求項１に記載の記録装置において、前記カム溝は、前記上部ユニットが閉じた状態から開く際に前記凸部が通る経路である第１経路と、
前記上部ユニットが開いた状態から閉じる際に前記凸部が通る経路である第２経路と、を備え、
前記凹部は、前記凸部が前記第１経路から前記第２経路に移る領域、及び前記第２経路の途中に設けられている、
ことを特徴とする記録装置。
【請求項３】
請求項２に記載の記録装置において、前記凸部が前記第２経路から前記第１経路に移る部位に、前記凸部の前記第１経路から前記第２経路への入り込みを規制する規制手段を備える、
ことを特徴とする記録装置。
【請求項４】
請求項３に記載の記録装置において、前記規制手段は、前記凸部が前記第２経路から前記第１経路に移る際に弾性変形可能であるとともに、前記凸部が前記第１経路から前記第２経路に向かう方向には弾性変形不可に形成された変形部を備えて構成される、
ことを特徴とする記録装置。
【請求項５】
請求項４に記載の記録装置において、前記変形部は、前記カム溝を形成する部材と一体的に形成されている、
ことを特徴とする記録装置。
【請求項６】
請求項４に記載の記録装置において、前記変形部は、前記カム溝を形成する部材と別体で構成されている、
ことを特徴とする記録装置。
【請求項７】
請求項１から請求項６のいずれか一項に記載の記録装置において、前記凸部が前記一定方向に移動する様に前記アームを押圧する押圧手段を備える、
ことを特徴とする記録装置。
【請求項８】
請求項１から請求項７のいずれか一項に記載の記録装置において、前記カム溝は、前記凹部の上側に、前記凸部を前記一定方向に案内する案内面を備える、
ことを特徴とする記録装置。
【発明の詳細な説明】
【技術分野】
【０００１】
本発明は、媒体に記録を行う記録装置に関する。
【背景技術】
【０００２】
プリンターとスキャナーとを一体化した所謂複合機は従来から知られており、例えば特許文献１にその一例が示されている。  
特許文献１記載のプリンターは、プリンターユニットの上部にスキャナーユニットを備えている。スキャナーユニットはプリンターユニットに対し開閉可能に設けられており、また、衝立部によって開いた状態を保持できる様に構成されている。
【０００３】
衝立部の先端側には係合子が設けられ、この係合子が、スキャナーユニットの開閉に伴って閉塞ガイド溝内を一定方向に動くように構成されている。閉塞ガイド溝には、係合子を側方から押圧するばねが設けられており、このばねによって係合子を側方から押圧し、摺動抵抗を与えることで、スキャナーユニットの開いた状態が維持される。
【先行技術文献】
【特許文献】
【０００４】
【特許文献１】特開２０１２−１４４８５９号公報
【発明の概要】
【発明が解決しようとする課題】
【０００５】
特許文献１記載の構成においては、スキャナーユニットの開いた状態を確実に維持するためにばねの押圧力を強く設定する必要がある。このためスキャナーユニットを開閉させる際、係合子をばねによって強く押圧する領域周辺ではスキャナーユニットの動きが固くなり、操作性を低下させてしまう。
【課題を解決するための手段】
【０００６】
上記課題を解決する為の、本発明の記録装置は、媒体に記録を行う記録部を備えた下部ユニットと、原稿の画像を読み取る読み取り手段を備えるとともに、前記下部ユニットの上部に設けられ、前記下部ユニットに対して開閉可能な上部ユニットと、を有し、前記上部ユニットは、前記下部ユニットに支持されて前記上部ユニットの開いた状態を維持するアームを備え、前記下部ユニットは、前記アームに設けられた凸部を受け入れ、前記上部ユニットの開閉に際して前記凸部が一定方向に移動する経路が形成されたカム溝を備え、前記カム溝には、前記凸部が入り込んで前記凸部を下から支持する凹部が設けられ、前記凹部に前記凸部が入り込むことで前記上部ユニットの開いた状態が維持されることを特徴とする。
【図面の簡単な説明】
【０００７】
【図１】プリンターの外観斜視図。
【図２】プリンターの外観斜視図。
【図３】プリンターの外観斜視図。
【図４】アームの外観斜視図。
【図５】アームの部分拡大図。
【図６】プリンターの簡略側断面図。
【図７】プリンターの簡略側断面図。
【図８】プリンターの簡略側断面図。
【図９】第２フレーム部材の斜視図。
【図１０】プリンターの部分拡大斜視図。
【図１１】プリンターの部分断面図。
【図１２】プリンターの筐体内部の部分拡大斜視図。
【図１３】フレームの斜視図。
【発明を実施するための形態】
【０００８】
以下、本発明を概略的に説明する。  
本発明の第１の態様に係る記録装置は、媒体に記録を行う記録部を備えた下部ユニットと、原稿の画像を読み取る読み取り手段を備えるとともに、前記下部ユニットの上部に設けられ、前記下部ユニットに対して開閉可能な上部ユニットと、を有し、前記上部ユニットは、前記下部ユニットに支持されて前記上部ユニットの開いた状態を維持するアームを備え、前記下部ユニットは、前記アームに設けられた凸部を受け入れ、前記上部ユニットの開閉に際して前記凸部が一定方向に移動する経路が形成されたカム溝を備え、前記カム溝には、前記凸部が入り込んで前記凸部を下から支持する凹部が設けられ、前記凹部に前記凸部が入り込むことで前記上部ユニットの開いた状態が維持されることを特徴とする。
【０００９】
本態様によれば、上部ユニットに設けられたアームの凸部を受け入れるカム溝には、前記凸部が入り込んで前記凸部を下から支持する凹部が設けられ、前記凹部に前記凸部が入り込むことで前記上部ユニットの開いた状態が維持される構成であるので、前記上部ユニットの開いた状態を維持するに際して前記カム溝内で前記凸部を側方から押圧する必要がなく、前記上部ユニットを開閉させる際に動きが固くなり難く、操作性の低下を抑制することができる。
【００１０】
本発明の第２の態様は、第１の態様において、前記カム溝は、前記上部ユニットが閉じた状態から開く際に前記凸部が通る経路である第１経路と、前記上部ユニットが開いた状態から閉じる際に前記凸部が通る経路である第２経路と、を備え、前記凹部は、前記凸部が前記第１経路から前記第２経路に移る領域、及び前記第２経路の途中に設けられていることを特徴とする。
【００１１】
本態様によれば、前記凹部は、前記凸部が前記第１経路から前記第２経路に移る領域、及び前記第２経路の途中に設けられているので、前記上部ユニットを開いた第１開放姿勢と、それより前記上部ユニットの開き角が小さい第２開放姿勢と、で保持することができる。このため、前記上部ユニットを開いた第１開放姿勢で手を離しても、前記上部ユニットが完全に閉じた状態に一気に移行することがなく、前記第２開放姿勢で一旦止まるので、前記上部ユニットが勢い良く閉じることに起因する音の発生や、破損を抑制できる。
【００１２】
本発明の第３の態様は、第２の態様において、前記凸部が前記第２経路から前記第１経路に移る部位に、前記凸部の前記第１経路から前記第２経路への入り込みを規制する規制手段を備えることを特徴とする。
【００１３】
本態様によれば、前記凸部が前記第２経路から前記第１経路に移る部位に、前記凸部の前記第１経路から前記第２経路への入り込みを規制する規制手段を備えるので、前記凸部の移動方向を適切な方向に規制できる。
【００１４】
本発明の第４の態様は、第３の態様において、前記規制手段は、前記凸部が前記第２経路から前記第１経路に移る際に弾性変形可能であるとともに、前記凸部が前記第１経路から前記第２経路に向かう方向には弾性変形不可に形成された変形部を備えて構成されることを特徴とする。
【００１５】
本態様によれば、前記規制手段は、前記凸部が前記第２経路から前記第１経路に移る際に弾性変形可能であるとともに、前記凸部が前記第１経路から前記第２経路に向かう方向には弾性変形不可に形成された変形部を備えて構成されるので、前記規制手段を構造簡単にして低コストに構成できる。
【００１６】
本発明の第５の態様は、第４の態様において、前記変形部は、前記カム溝を形成する部材と一体的に形成されていることを特徴とする。  
本態様によれば、前記変形部は、前記カム溝を形成する部材と一体的に形成されているので、前記規制手段をより一層低コストに構成できる。
【００１７】
本発明の第６の態様は、第４の態様において、前記変形部は、前記カム溝を形成する部材と別体で構成されていることを特徴とする。  
本態様によれば、前記変形部は、前記カム溝を形成する部材と別体で構成されているので、前記変形部の弾性を柔軟に設定でき、設計の自由度を向上させることができる。
【００１８】
本発明の第７の態様は、第１から第６の態様のいずれかにおいて、前記アームは、前記凸部が前記一定方向に移動する様に前記アームを押圧する押圧手段を備えることを特徴とする。
【００１９】
本態様によれば、前記凸部が前記一定方向に移動する様に前記アームを押圧する押圧手段を備えるので、前記凸部が前記一定方向に適切に移動することができる。
【００２０】
本発明の第８の態様は、第１から第７の態様のいずれかにおいて、前記カム溝は、前記凹部の上側に、前記凸部を前記一定方向に案内する案内面を備えることを特徴とする。  
本態様によれば、カム溝は、前記凹部の上側に、前記凸部を前記一定方向に案内する案内面を備えるので、前記凹部に前記凸部が支持された状態すなわち前記上部ユニットの開き姿勢が維持された状態から、前記上部ユニットが閉じる際に、前記凸部の移動方向を適切な方向に規制できる。
【００２１】
以下、本発明を具体的に説明する。  
以下では、本発明に係る記録装置の一例として、インクジェットプリンター１（以下、単にプリンター１と称する）を例に挙げるが、媒体の一例である用紙に記録を行う方式はインクジェット方式に限られず、電子写真方式、ドットインパクト方式等、種々のものを採用可能である。  
またインクジェット方式では、キャリッジにインクカートリッジを搭載するタイプ、キャリッジ外にインク収容部を設けて当該インク収容部とキャリッジとをインクチューブで接続するタイプ等、種々の形態があり、本発明はいずれの形態にも適用可能である。尚、本実施形態に係るプリンター１は、キャリッジ内にインクカートリッジを搭載するタイプである。
【００２２】
尚、各図において示すＸ−Ｙ−Ｚ座標系はＸ方向が装置幅方向及び下部ユニット２基準での用紙幅方向であり、Ｙ方向が下部ユニット２において用紙に記録を行う際の用紙搬送方向及び装置奥行き方向であり、Ｚ方向が装置高さ方向及び鉛直方向を示している。尚、＋Ｙ方向が装置背面から装置前面に向かう方向であり、−Ｙ方向が装置前面から装置背面に向かう方向となる。  
尚、装置前面とは、装置において使用者であるユーザーと正対する面であり、装置の側面のうちいずれの側面が装置前面となるかは、装置構成や外観のデザインをもとに定まるものである。一例として、各種操作ボタンや表示部を備えて構成され、ユーザーによる操作を受け付ける操作部が設けられている場合、当該操作部が設けられている側が、多くの場合ユーザーと正対する側となる。  
また、以下では、用紙が搬送されていく方向を「下流」と称し、その反対を「上流」と称する。
【００２３】
図１においてプリンター１は、用紙に記録を行う下部ユニット２と、画像読取装置の一例であるスキャナーとして構成された上部ユニット３と、を備えている。即ち、プリンター１は所謂複合機である。  
上部ユニット３には、更にその上部に複数枚の原稿を自動送りする原稿給送装置４が設けられている。原稿給送装置４は、不図示の回動軸を中心に上部ユニット３に対して回動し、回動して開くことで、不図示の原稿台が表れる。  
また詳しくは後述するが、原稿給送装置４は上部ユニット３と一体で、下部ユニット２に対して回動し、開閉する。
【００２４】
下部ユニット２には凹部９ａが両側面に設けられており（図２、図３も参照）、凹部９ａに手指を入れることで下部ユニット２の底面に手指を掛けることができ、下部ユニット２を持ち上げることができる。下部ユニット２において手指が掛けられる部位３ｂ（図３）は、平坦状に形成されており、手指が掛けやすく形成されている。
【００２５】
上部ユニット３はフラットベッドタイプのスキャナーであり、不図示の原稿台と、読取部３ａとを備え、読取部３ａがＸ方向に移動することで、原稿台に載置された原稿の読み取りが行われる。
【００２６】
下部ユニット２には、前面に操作部６が設けられている。操作部６は、複数の操作ボタン及び表示部を備えている。本実施形態において操作部６は、プリンター１における記録動作及び画像読取動作を操作する為のユーザーインタフェースとして構成されている。  
また下部ユニット２の前面において操作部６の下側には、記録が行われて排出される、媒体の一例である用紙を受ける排紙トレイ５が設けられている。
【００２７】
下部ユニット２は、キャリッジ７を備え、キャリッジ７には用紙に対して記録を行う記録部としての記録ヘッド８が設けられている。キャリッジ７には、図１２に示す様に複数のインクカートリッジ１６が設けられている。  
インクカートリッジ１６の底部には不図示のプリズムが設けられており、このプリズムを介してインク残量の検出が可能に構成されている。図１２において符号１８は、キャリッジ７の移動領域上に設けられた光学センサーであり、この光学センサー１８の上部にキャリッジ７が停止することにより、上記プリズムを介して各インクカートリッジのインク残量を検出できる。  
キャリッジ７の側面には遮光部１７が設けられており、光学センサー１８によるインク残量検出時の、外光の影響が抑制されている。
【００２８】
また、キャリッジ７の前方に設けられたフレーム２０には、図１３に示す様に庇部２０ａが設けられている。庇部２０ａは、記録ヘッド８によるインク吐出面よりも鉛直方向で上側に位置しており、庇部２０ａと、鉛直方向に延びる壁２０ｂとによって、記録ヘッド８から吐出されたインクのうち用紙に着弾せずに浮遊するインクミストの、機外への漏出が抑制される。尚、フレーム２０において庇部２０ａの下側は開放構造となっており、壁２０ｂと庇部２０ａとで区画された領域内でインクミストは比較的自由に動くことができ、キャリッジ７の移動に伴う、インクミストの機外への漏出がより効果的に抑制される。
【００２９】
続いて上部ユニット３の開いた状態を維持するアーム、及びこのアームを支持するカム溝について説明する。  
上部ユニット３は、ヒンジ２１（図６）を介して下部ユニット２に対して回動可能に連結されているとともに、図２及び図３に示す様にアーム１０を備え、このアーム１０が下部ユニット２に支持されることで、開いた状態を維持できる様に構成されている。  
本実施形態において上部ユニット３は、図３に示す第１開放姿勢と、図２に示す第２開放姿勢の、２つの姿勢で開いた状態が維持できる様に構成されている。第２開放姿勢は、第１開放姿勢よりも、開き角が小さい姿勢となる。
【００３０】
アーム１０は、図４に示す様に上部に２つの回動軸１０ｂを備え、下部に２つの凸部１０ａを備えている。回動軸１０ｂは、図５に示す様に上部ユニット３の底部に設けられた支持部３ｄによって回動可能に支持される。  
なお、図示は省略するが、アーム１０にはユーザーから視認可能な位置に、アーム１０の操作方法が表示されている。  
２つの回動軸１０ｂの間にはばね保持部１０ｄが形成され、このばね保持部１０ｄに、ねじりばね１１が保持される。
【００３１】
ねじりばね１１の一端１１ａは、アーム１０に形成されたばね掛け部１０ｃに掛けられ、ねじりばね１１の他端１１ｂは、上部ユニット３の底面に形成されたばね掛け部３ｅに掛けられる。これによりねじりばね１１は、アーム１０を、装置後方側に押圧する。即ちねじりばね１１は、アーム１０を、回動軸１０ｂを中心にして図６〜図８の反時計回り方向に回動させる様に押圧する。
【００３２】
アーム１０は、下部ユニット２の外郭を構成する筐体２の上部に形成された上部開口部９ｃ（図２、図３、図１１）を介して筐体９の内側に入り込み、図１１に示す様に下部ユニット２を構成する第１フレーム部材１２と第２フレーム部材１４とに挟まれた状態となる。そしてアーム１０の両側に形成された凸部１０ａが、第１フレーム部材１２及び第２フレーム部材１４に形成されたカム溝（後述）に受け入れられ、上部ユニット３の開閉に際して案内される。  
第１フレーム部材１２及び第２フレーム部材１４に形成されたカム溝は、アーム１０を挟んで対称の形状を成しており、第２フレーム部材１４の側にのみ、凸部１０ａの移動を規制する規制手段（後述）が設けられている。  
尚、筐体９の上部に形成された上部開口部９ｃの下には、図１０及び図１１に示す様に下部開口部９ｂが形成されており、上部開口部９ｃを介して筐体９の内側に異物等が入り込んでも、下部開口部９ｂから機外に排出することができる様に構成されている。
【００３３】
図９に、第２フレーム部材１４に形成されたカム溝１４ａを示す。第１フレーム部材１２に形成されたカム溝（不図示）も、後述する規制手段としての変形部１４ｈが設けられてない点と、形状が第２フレーム部材１４に形成されたカム溝１４ａと対称形状であるほかは、カム溝１４ａと同様な構造を有している。  
尚、カム溝はアーム１０の凸部１０ａを案内し、また、凸部１０ａを支持する即ち上部ユニット３を支持するものであるため、必ずしもアーム１０の両側に設けられている必要はなく、アーム１０を挟んで配置された第１フレーム部材１２及び第２フレーム部材１４のうちいずれか一方にのみ形成されていても良い。  
但し、アーム１０を挟んで配置された第１フレーム部材１２及び第２フレーム部材１４の双方にカム溝を設けることで、より適切に凸部１０ａを案内することができ、また、より適切に凸部１０ａを支持できる。
【００３４】
尚、本実施形態ではアーム１０の凸部１０ａと、カム溝の底面との間隔、即ちＸ方向の間隔は、僅かに設けられている程度であるが、凸部１０ａと、カム溝の底面とが常に接触しながら、凸部１０ａがカム溝内を移動するようにしても良い。
【００３５】
以下、カム溝の形状について図９を参照しつつ詳説する。カム溝１４ａの幅は、凸部１０ａの直径よりも大きく設定されており、即ちカム溝１４ａ内を凸部１０ａが円滑に移動できる幅に形成されている。  
上部ユニット３が開閉する際、凸部１０ａがカム溝１４ａ内を移動し、その移動方向は一定方向となる。図９においては、凸部１０ａの移動方向は矢印で示す一定方向となる。
【００３６】
カム溝１４ａは、上部ユニット３が閉じた状態から開く際に凸部１０ａが通る経路である第１経路Ｒ１と、上部ユニット３が開いた状態から閉じる際に凸部１０ａが通る経路である第２経路Ｒ２と、凸部１０ａが第１経路Ｒ１から第２経路Ｒ２に移る際に通る領域である遷移経路Ｒ３と、を備えている。  
第１経路Ｒ１は、鉛直上方向に向かってほぼ真っ直ぐな形状を成す経路である。第２経路Ｒ２は、鉛直下方向に向かって蛇行する様な形状を成している。遷移経路Ｒ３は、第１経路Ｒ１の上端即ち終端から斜め下方向に向かい、次いで第２経路Ｒ２の上端即ち始端に向けて斜め上方向に向かう形状を成している。  
図９において破線で示す矢印は、その開始位置が各経路の始端位置であり、終了位置が各経路の終端位置となる。  
遷移経路Ｒ３には、凸部１０ａが入り込んで凸部１０ａを下から支持する第１凹部１４ｂが設けられている。また、第２経路Ｒ２の途中には、凸部１０ａが入り込んで凸部１０ａを下から支持する第２凹部１４ｅが設けられている。
【００３７】
上部ユニット３が閉じた状態にある場合、凸部１０ａは、図６に示す様にカム溝１４ａの一番下であって、第１経路Ｒ１の始端に位置している。  
この状態から上部ユニット３を開いていくと、凸部１０ａは、第１経路Ｒ１をまっすぐ上に向かい、第１経路Ｒ１の上端即ち終端に達する。  
この状態からユーザーが上部ユニット３から手を離すか或いは上部ユニット３を持ち上げることをやめると、アーム１０は図８において時計回り方向に押圧されているので、凸部１０ａは第１凹部１４ｂに向かって移動し、第１凹部１４ｂに入り込み、支持される。即ち、図８で示す様に、上部ユニット３が第１開放姿勢に維持される。
【００３８】
次に、この状態からユーザーが上部ユニット３を少し持ち上げると、アーム１０は図８において時計回り方向に押圧されているので、凸部１０ａは第２経路Ｒ２の始端に向かって移動する。  
従ってこの状態でユーザーが上部ユニット３から手を離すか或いは上部ユニット３を持ち上げることをやめると、凸部１０ａは第２経路Ｒ２を下方向に進んでいき、やがて図７に示す様に第２凹部１４ｅに入り込み、支持される。即ち、上部ユニット３が第２開放姿勢に維持される。
【００３９】
この状態からユーザーが上部ユニット３を少し持ち上げると、アーム１０は図７において時計回り方向に押圧されているので、凸部１０ａは第２凹部１４ｅから外れる。そしてその状態でユーザーが上部ユニット３から手を離すか或いは上部ユニット３を持ち上げることをやめると、凸部１０ａは第２経路Ｒ２を更に下方向に進んでいき、やがて第２経路Ｒ２の終端から第１経路Ｒ１の始端に移動する。即ち、図６に示した様に上部ユニット３が完全に閉じた状態となる。尚この状態では、凸部１０ａが第１経路Ｒ１の下端部に支持される訳ではなく、上部ユニット３の底面が上部ユニット３の上面に支持される。  
以上のようにして、凸部１０ａは、上部ユニット３の開閉操作に伴ってカム溝１４ａ内を一定方向に移動しつづけることとなる。
【００４０】
そして上述した様に、カム溝１４ａには、凸部１０ａが入り込んで凸部１０ａを下から支持する第１凹部１４ｂ、第２凹部１４ｅが設けられ、これら凹部に凸部１０ａが入り込むことで上部ユニット３の開いた状態が維持される構成であるので、上部ユニット３の開いた状態を維持するに際してカム溝１４ａ内で凸部１０ａを側方から押圧する必要がなく、上部ユニット３を開閉させる際に動きが固くなり難く、操作性の低下を抑制することができる。
【００４１】
また、第２経路Ｒ２の途中に、第２凹部１４ｅが設けられているので、上部ユニット３を大きく開いた状態即ち第１開放姿勢で手を離しても、上部ユニット３が完全に閉じた状態に一気に移行することがなく、図７に示した第２開放姿勢で一旦止まるため、上部ユニット３が勢い良く閉じることに起因する音の発生や、破損を抑制できる。
【００４２】
また、本実施形態では凸部１０ａが第２経路Ｒ２から第１経路Ｒ１に移る部位、即ち第２経路Ｒ２の終端に、凸部１０ａの第１経路Ｒ１への入り込み即ち逆行を規制する規制手段が設けられている。この規制手段は、図９に示す変形部１４ｈで構成される。  
図９において変形部１４ｈを拡大した図において、符号Ｓ１で示す面即ち第２経路Ｒ２の底面と、符号Ｓ２で示す面即ち第１経路Ｒ１の底面とは、ほぼ面一に形成されており、そして変形部１４ｈが、それよりも高い位置になるように形成されている。  
このため、凸部１０ａが第２経路Ｒ２から第１経路Ｒ１へ移る際、変形部１４ｈを変形させ、押し退ける必要がある。
【００４３】
ところが、変形部１４ｈは図示する様に片持ち梁構造となっていて、凸部１０ａが第２経路Ｒ２から第１経路Ｒ１に移った後に、第２経路Ｒ２に戻ろうとしても、変形部１４ｈの先端部１４ｊに引っ掛かり、第２経路Ｒ２に戻れない即ち逆行できない構造となっている。  
つまりカム溝１４ａは、規制手段としての変形部１４ｈを備え、凸部１０ａの第１経路Ｒ１から第２経路Ｒ２への入り込み即ち逆行を規制するので、凸部１０ａの移動方向を適切な方向に規制できる。
【００４４】
加えて、規制手段は、凸部１０ａが第２経路Ｒ２から第１経路Ｒ１に移る際に弾性変形可能であるとともに、凸部１０ａが第１経路Ｒ１から第２経路Ｒ２に向かう方向には弾性変形不可に形成された変形部１４ｈで構成されるので、規制手段を構造簡単にして低コストに構成できる。
【００４５】
また、変形部１４ｈは、カム溝１４ａを形成する部材である第２フレーム部材１４と樹脂成形により一体的に形成されており、これにより規制手段をより一層低コストに構成できる。
【００４６】
尚、これに限られず、変形部１４ｈを、カム溝１４ａを形成する第２フレーム部材１４と別体で構成しても良い。その様な部材としては、例えば板ばねが考えられる。このように、変形部１４ｈを、カム溝１４ａを形成する第２フレーム部材１４と別体で構成すれば、変形部１４ｈの弾性を柔軟に設定でき、設計の自由度を向上させることができる。
【００４７】
また、アーム１０は、押圧手段としてのねじりばね１１によって一定方向即ち適切な移動方向に移動する様に押圧されるので、凸部１０ａが一定方向に適切に移動することができる。  
尚、本実施形態においては、後述する案内面（１４ｄ、１４ｇ）が設けられているので、ねじりばね１１は省略することもできる。即ち、ねじりばね１１を省略した場合でも、凸部１０ａはカム溝１４ａ内を一定方向に移動しつづけることができる。
【００４８】
続いて上述の案内面について説明する。カム溝１４ａは、第１凹部１４ｂ及び第２凹部１４ｅの上側に、凸部１０ａを一定方向に案内する案内面を備えている。  
具体的には、図９に示す様に第１凹部１４ｂの上部には第１凸部１４ｃが設けられている。この第１凸部１４ｃは、装置奥行き方向即ちＹ方向において第１凹部１４ｂと位置がずれており、第１凹部１４ｂに入り込んだ凸部１０ａが真っ直ぐ上方に移動すると、案内面としての第１斜面１４ｄに当接し、移動すべき一定方向（図９において右方向）に案内される。  
第２凹部１４ｅに対しても同様に、装置奥行き方向即ちＹ方向において位置がずれる様に第２凸部１４ｆが設けられており、第２凹部１４ｅに入り込んだ凸部１０ａが真っ直ぐ上方に移動すると、案内面としての第２斜面１４ｇに当接し、移動すべき一定方向（図９において右方向）に案内される。  
この様な構成により、凸部１０ａの移動方向を適切な方向に規制できる。
【００４９】
更に本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００５０】
１…インクジェットプリンター、２…下部ユニット、２ａ…開口部、３…上部ユニット、３ａ…読取部、３ｂ…手掛け部、３ｃ…底面、３ｄ…支持部、３ｅ…ばね掛け部、４…原稿給送装置、４ａ…給送トレイ、４ｂ…排出トレイ、５…排紙トレイ、６…操作部、７…キャリッジ、８…記録ヘッド、９…筐体、９ａ…凹部、９ｂ…下部開口部、９ｃ…上部開口部、１０…アーム、１０ａ…凸部、１０ｂ…回動軸、１０ｃ…ばね掛け部、１０ｄ…ばね保持部、１１…ねじりばね、１２…第１フレーム部材、１４…第２フレーム部材、１４ａ…カム溝、１４ｂ…第１凹部、１４ｃ…第１凸部、１４ｄ…第１斜面、１４ｅ…第２凹部、１４ｆ…第２凸部、１４ｇ…第２斜面、１４ｈ…変形部、１４ｊ…先端部、１６…インクカートリッジ、１７…遮光部、１８…光学センサー、２０…フレーム、２１…ヒンジ、Ｒ１…第１経路、Ｒ２…第２経路、Ｒ３…遷移経路
【図１】
2020055248.tif 000003
【図２】
2020055248.tif 000004
【図３】
2020055248.tif 000005
【図４】
2020055248.tif 000006
【図５】
2020055248.tif 000007
【図６】
2020055248.tif 000008
【図７】
2020055248.tif 000009
【図８】
2020055248.tif 000010
【図９】
2020055248.tif 000011
【図１０】
2020055248.tif 000012
【図１１】
2020055248.tif 000013
【図１２】
2020055248.tif 000014
【図１３】
2020055248.tif 000015